(57)【要約】【課題】  広範囲な地域で無線端末によるネットワークへのアクセスを可能とする無線アクセス装置及びシステムを提供する。【解決手段】ネットワークとアクセス回線で接続し、無線端末のネットワークへのアクセスのための信号の中継を行う無線アクセス装置であって、無線端末の識別情報を保持する認証メモリを有し、無線端末からネットワークへのアクセスが発生した際に、該無線端末が、所定の属性情報を送信しない場合は、ネットワークへの信号の中継は行わず、所定の属性情報を送信した場合は、該無線端末の識別情報を取得し、取得した無線端末の識別情報が認証メモリに存在する場合は、アクセス制限なしにネットワークへの信号の中継を行い、取得した無線端末の識別情報が認証メモリに存在しない場合は、ネットワーク内の所定の装置への信号の中継のみを行う。【選択図】  図１
2006270750.tif 000002
【特許請求の範囲】
【請求項１】
ネットワークとアクセス回線で接続し、無線端末のネットワークへのアクセスのための信号の中継を行う無線アクセス装置であって、
無線端末の識別情報を保持する認証メモリを有し、
無線端末からネットワークへのアクセスが発生した際に、該無線端末が、所定の属性情報を送信しない場合は、ネットワークへの信号の中継は行わず、所定の属性情報を送信した場合は、該無線端末の識別情報を取得し、取得した無線端末の識別情報が認証メモリに存在する場合は、アクセス制限なしにネットワークへの信号の中継を行い、取得した無線端末の識別情報が認証メモリに存在しない場合は、ネットワーク内の所定の装置への信号の中継のみを行うことを特徴とする無線アクセス装置。
【請求項２】
閾値を保持する帯域メモリを有し、
１以上の無線端末が、ネットワークへのアクセスを行っている場合において、識別情報が認証メモリに保時されていない無線端末が使用するアクセス回線の帯域の合計は、帯域メモリが保持する閾値を超えないように制限することを特徴とする請求項１に記載の無線アクセス装置。
【請求項３】
ネットワークと、ネットワークとアクセス回線で接続し、無線端末のネットワークへのアクセスのための信号の中継を行う無線アクセス装置とを含む無線アクセスシステムであって、
ネットワークは、
ネットワークへのアクセスを許可する無線端末について、無線端末の識別情報と無線アクセス装置の識別情報との組合せに毎に、無線端末がアクセスできるネットワークの範囲を示すアクセス制限情報を保持する契約者データベースを有し、
無線アクセス装置は、
無線端末からネットワークへのアクセスが発生した際に、該無線端末の識別情報を取得して、取得した無線端末の識別情報及び自装置の識別情報を契約者データベースに送信し、
前記送信に対して契約者データベースから、アクセス不可を受信した場合は、該無線端末の信号の中継は行わず、アクセス制限情報を受信した場合は、アクセス制限情報の範囲でネットワークへの信号の中継を行い、
契約者データベースは、
無線アクセス装置から受信した無線端末の識別情報が、保持する情報に存在しない場合は、無線アクセス装置にアクセス不可を送信し、存在する場合は、受信した無線端末の識別情報及び受信した無線アクセス装置の識別情報の組合せに対応するアクセス制限情報を無線アクセス装置に送信することを特徴とする無線アクセスシステム。
【請求項４】
ネットワークは、更に、通信制御装置を有し、
無線アクセス装置は、
ネットワークへの中継を行う無線端末からの無線信号の受信レベルを、前記無線端末の識別情報と共に通信制御装置に通知し、
前記通知に対して通信制御装置が送信する識別情報が自装置を示している場合は、前記無線端末の信号の中継を行い、自装置を示していない場合は、前記無線端末の信号の中継を行わず、
通信制御装置は、
各無線アクセス装置からの前記通知のうち一番大きな受信レベルで無線信号を受信している無線アクセス装置を選択して、選択した無線アクセス装置の識別情報を、前記通知を行っている全無線アクセス装置に送信することを特徴とする請求項３に記載の無線アクセスシステム。
【請求項５】
各契約者について、契約者の無線アクセス装置の識別情報、無線端末の識別情報、無線アクセス装置を他の契約者の無線端末に開放するか否かを示す開放情報及び他の契約者の無線アクセス装置を利用するか否かを示す利用情報を保持する契約者データベースを含むネットワークと、
ネットワークとアクセス回線で接続し、無線端末のネットワークへのアクセスのための信号の中継を行う無線アクセス装置とを有する無線アクセスシステムでのネットワークへのアクセスサービス提供方法であって、
無線アクセス装置は、
無線端末からネットワークへのアクセスが発生した際に、該無線端末の識別情報を取得して、取得した無線端末の識別情報及び自装置の識別情報を契約者データベースに送信し
契約者データベースは、
受信した無線端末の識別情報が示す契約者についての利用情報が、他の契約者の無線アクセス装置を利用しない場合、受信した無線アクセス装置の識別情報が示す契約者についての開放情報が、無線アクセス装置を他の契約者の無線端末に開放しない場合、または、受信した無線端末の識別情報が存在しない場合は、無線アクセス装置にアクセス不可を通知し、
受信した無線端末及び無線アクセス装置の識別情報が示す契約者が同一である場合は、無線アクセス装置にアクセス制限なしを通知し、
それ以外の場合は、無線アクセス装置にアクセス制限有りを通知し、
無線アクセス装置は、
アクセス不可が通知された場合は、前記無線端末のネットワークへの中継を行わず、
アクセス制限なしが通知された場合は、前記無線端末のネットワークへの中継を行い、
アクセス制限有りが通知された場合は、前記無線端末と、ネットワーク内の所定の装置との中継のみを許可することを特徴とするアクセスサービス提供方法。
【請求項６】
契約者データベースが保持する、契約者の開放情報及び利用情報を、サービス提供に対する課金のための情報として使用することを特徴とする請求項５に記載のアクセスサービス提供方法。
【発明の詳細な説明】
【技術分野】
【０００１】
本発明は、無線端末に対して、インターネット等の広域なネットワークへのアクセスを提供する無線アクセスシステムに関し、特に、無線端末からの信号をネットワークに中継する無線アクセス装置に関する。
【背景技術】
【０００２】
駅や喫茶店等の、人が集まる場所に無線アクセス装置を設置し、予め契約等により前記無線アクセス装置を利用する権利を与えられた利用者が、自己の無線端末から無線アクセス装置経由でインターネットにアクセスする公衆無線サービスの提供が行われているが、無線アクセス装置の設置位置は分散し、かつ、無線アクセス装置のサービス可能エリアは限られているため、気軽にネットワークにアクセスはできず、また、アクセス中に移動することもできないという欠点がある。
【０００３】
また、ネットワークのアクセス回線を契約して、契約したアクセス回線に無線アクセス装置を接続し、公衆無線サービスを提供している契約者であっても、自身が契約しているネットワークへのアクセス回線を優先的に利用することができず、多くの人が無線アクセス装置を利用している場合には、契約者自身であっても使用できる帯域が制限されるという欠点がある。
【０００４】
一方、個人や企業で、インターネット等のネットワークにアクセスするために広帯域なアクセス回線を契約することが一般的となっているが、これらアクセス回線の帯域は、常時使用されているわけではなく、むしろ全帯域の一部しか使用されていない時間のほうが、圧倒的に多いのが現状となっている。
【０００５】
尚、出願人は、先行技術文献に該当する文献の存在を特許出願時において認識していない。
【発明の開示】
【発明が解決しようとする課題】
【０００６】
従って、本発明は、上記、一部の時間しか使用されていない、企業や個人が設置しているインターネット等のネットワークへのアクセス回線を、他人が利用することを可能とし、よって、無線端末が利用可能な無線アクセス装置を増やして、広範囲な地域で無線端末によるネットワークへのアクセスを可能とする無線アクセス装置、システム及びネットワークへのアクセスサービス提供方法を提供することを目的とする。
【０００７】
また、この場合においても、アクセス回線の契約者は、他人の使用量に応じて、自身が使用出来る帯域が制限されるという欠点を克服した無線アクセス装置、システム及びネットワークへのアクセスサービス提供方法を提供することも目的とする。
【課題を解決するための手段】
【０００８】
本発明における無線アクセス装置によれば、
ネットワークとアクセス回線で接続し、無線端末のネットワークへのアクセスのための信号の中継を行う無線アクセス装置であって、無線端末の識別情報を保持する認証メモリを有し、無線端末からネットワークへのアクセスが発生した際に、該無線端末が、所定の属性情報を送信しない場合は、ネットワークへの信号の中継は行わず、所定の属性情報を送信した場合は、該無線端末の識別情報を取得し、取得した無線端末の識別情報が認証メモリに存在する場合は、アクセス制限なしにネットワークへの信号の中継を行い、取得した無線端末の識別情報が認証メモリに存在しない場合は、ネットワーク内の所定の装置への信号の中継のみを行うことを特徴とする。
【０００９】
本発明の無線アクセス装置における他の実施形態によれば、
閾値を保持する帯域メモリを有し、
１以上の無線端末が、ネットワークへのアクセスを行っている場合において、識別情報が認証メモリに保時されていない無線端末が使用するアクセス回線の帯域の合計は、帯域メモリが保持する閾値を超えないように制限することも好ましい。
【００１０】
本発明における無線アクセスシステムによれば、
ネットワークと、ネットワークとアクセス回線で接続し、無線端末のネットワークへのアクセスのための信号の中継を行う無線アクセス装置とを含む無線アクセスシステムであって、ネットワークは、ネットワークへのアクセスを許可する無線端末について、無線端末の識別情報と無線アクセス装置の識別情報との組合せに毎に、無線端末がアクセスできるネットワークの範囲を示すアクセス制限情報を保持する契約者データベースを有し、無線アクセス装置は、無線端末からネットワークへのアクセスが発生した際に、該無線端末の識別情報を取得して、取得した無線端末の識別情報及び自装置の識別情報を契約者データベースに送信し、前記送信に対して契約者データベースから、アクセス不可を受信した場合は、該無線端末の信号の中継は行わず、アクセス制限情報を受信した場合は、アクセス制限情報の範囲でネットワークへの信号の中継を行い、契約者データベースは、無線アクセス装置から受信した無線端末の識別情報が、保持する情報に存在しない場合は、無線アクセス装置にアクセス不可を送信し、存在する場合は、受信した無線端末の識別情報及び受信した無線アクセス装置の識別情報の組合せに対応するアクセス制限情報を無線アクセス装置に送信することを特徴とする。
【００１１】
本発明の無線アクセスシステムにおける他の実施形態によれば、
ネットワークは、更に、通信制御装置を有し、無線アクセス装置は、ネットワークへの中継を行う無線端末からの無線信号の受信レベルを、前記無線端末の識別情報と共に通信制御装置に通知し、前記通知に対して通信制御装置が送信する識別情報が自装置を示している場合は、前記無線端末の信号の中継を行い、自装置を示していない場合は、前記無線端末の信号の中継を行わず、通信制御装置は、各無線アクセス装置からの前記通知のうち一番大きな受信レベルで無線信号を受信している無線アクセス装置を選択して、選択した無線アクセス装置の識別情報を、前記通知を行っている全無線アクセス装置に送信することも好ましい。
【００１２】
本発明におけるアクセスサービス提供方法によれば、
各契約者について、契約者の無線アクセス装置の識別情報、無線端末の識別情報、無線アクセス装置を他の契約者の無線端末に開放するか否かを示す開放情報及び他の契約者の無線アクセス装置を利用するか否かを示す利用情報を保持する契約者データベースを含むネットワークと、ネットワークとアクセス回線で接続し、無線端末のネットワークへのアクセスのための信号の中継を行う無線アクセス装置とを有する無線アクセスシステムでのアクセス方法であって、無線アクセス装置は、無線端末からネットワークへのアクセスが発生した際に、該無線端末の識別情報を取得して、取得した無線端末の識別情報及び自装置の識別情報を契約者データベースに送信し、契約者データベースは、受信した無線端末の識別情報が示す契約者についての利用情報が、他の契約者の無線アクセス装置を利用しない場合、受信した無線アクセス装置の識別情報が示す契約者についての開放情報が、無線アクセス装置を他の契約者の無線端末に開放しない場合、または、受信した無線端末の識別情報が存在しない場合は、無線アクセス装置にアクセス不可を通知し、受信した無線端末及び無線アクセス装置の識別情報が示す契約者が同一である場合は、無線アクセス装置にアクセス制限なしを通知し、それ以外の場合は、無線アクセス装置にアクセス制限有りを通知し、無線アクセス装置は、アクセス不可が通知された場合は、前記無線端末のネットワークへの中継を行わず、アクセス制限なしが通知された場合は、前記無線端末のネットワークへの中継を行い、アクセス制限有りが通知された場合は、前記無線端末と、ネットワーク内の所定の装置との中継のみを許可することを特徴とする。
【００１３】
本発明のアクセスサービス提供方法における他の実施形態によれば、
契約者データベースが保持する、契約者の開放情報及び利用情報を、サービス提供に対する課金のための情報として使用することも好ましい。
【発明の効果】
【００１４】
認証メモリ、又は、契約者データベースに、予めネットワークの提供事業者と契約した特定の無線端末の識別情報を保存し、前記識別情報と、アクセスを行おうとしている無線端末の識別情報とに基づきネットワークへの中継方法を制御する無線アクセス装置を、企業や個人が設置しているアクセス回線に使用することで、従来のスポット的な公衆無線サービスを、面的な広がりを持ったサービスへと展開することを容易に可能とし、また、空き時間の多い、企業や個人が設置しているアクセス回線を有効利用できる。これにより、ネットワーク事業者にとっても、新たに自身が基地局又は無線アクセス装置を設置する必要がないという利点がある。
【００１５】
帯域メモリにより、アクセス回線の契約者以外が使用するアクセス回線の総帯域を、所定の値に制限でき、アクセス回線の契約者には、一定の帯域が保証される。
【００１６】
通信制御装置により、受信レベルに基づき無線アクセス装置の切替を行うことで、アクセス中の移動を可能とする。
【発明を実施するための最良の形態】
【００１７】
本発明を実施するための最良の実施形態について、以下では図面を用いて詳細に説明する。
【００１８】
図１は、本発明の無線アクセスシステムの第１実施形態を示す図である。図１によると無線アクセスシステムは、無線アクセス装置１と、無線端末２、３及び４と、ネットワーク５と、パーソナルコンピュータ（ＰＣ）７とを有する。ここで、無線端末とは、無線ＬＡＮ（Ｌｏｃａｌ  Ａｒｅａ  Ｎｅｔｗｏｒｋ）インタフェースを有するコンピュータ、ＰＤＡ（Ｐｅｒｓｏｎａｌ  Ｄｉｇｉａｔａｌ  Ａｓｓｉｓｔａｎｔ）、携帯電話、携帯ＩＰ（Ｉｎｔｅｒｎｅｔ  Ｐｒｏｔｏｃｏｌ）電話、その他携帯可能な端末総てを示すものとして使用する。
【００１９】
無線アクセス装置１は、ネットワーク５とアクセス回線により接続しており、無線端末と、ネットワーク５との信号の中継を行う。無線アクセス装置１及びアクセス回線は利用者Ｘが、ネットワーク５を提供している事業者と契約して設置したものである。
【００２０】
無線端末２は、利用者Ｘの無線端末であり、無線端末３は、利用者Ｘの無線端末ではないが、契約等により無線アクセス装置１の利用を許可された無線端末である。無線端末４は、利用者Ｘの無線端末ではなく、ネットワーク５の事業者とも契約を行っていない利用者が所有している無線端末であり、従って、無線アクセス装置１の利用は許可されていない。無線アクセス装置を利用できる無線端末、つまり図１の例での無線端末２及び３は、ネットワーク５の事業者と契約したことを示す、ネットワーク事業者固有の属性情報を無線アクセス装置に送信する。
【００２１】
無線アクセス装置１は、認証メモリ１０１を有し、認証メモリ１０１には、図２に示す
端末種別に対するアクセス制限が保存されている。端末種別とは、ネットワーク５の提供事業者との契約等により無線アクセス装置１の利用が許可されている無線端末のうち、無線アクセス装置１の所有者である利用者Ｘの無線端末であるか否かの区別である。無線アクセス装置１の利用が許可されているか否かは、無線端末が送信する上記属性情報で区別し、利用者Ｘの無線端末であるか否かは、認証メモリ１０１に、利用者Ｘの無線端末のＩＰアドレス等、無線端末を一意に識別できる識別情報を予め保存しておき判定する。アクセス制限は、各無線端末がアクセスできるネットワーク５の範囲を示している。これら認証情報は、パーソナルコンピュータ（ＰＣ）７により、又は、ネットワーク５により認証メモリ１０１に書き込まれる。
【００２２】
無線アクセス装置１は、無線端末からアクセスがあった場合は、無線端末の識別情報及び属性情報を取得して、認証メモリ１０１に保存している情報から、アクセスの許可／不許可、許可する場合はその範囲を判断する。
【００２３】
無線アクセス装置１は、図２に示すように、無線端末２からのアクセスに対しては、そのＩＰアドレス等から所有者の無線端末であることを認識し、よって、制限なしにアクセスを認め、無線端末３からのアクセスに対しては、そのＩＰアドレス等から所有者の無線端末ではないことを認識するが、属性情報から許可端末であることを認識し、よって、ネットワーク５内のゲートウェイ装置５１への信号の中継のみを行う。ゲートウェイ装置５１は、要求されたサービス、例えば、ＩＰ電話や、ＩＳＰ接続等を振り分けるゲートウェイ機能を有する装置である。また、無線端末４からのアクセスに対しては、無線端末４は、ネットワーク５の事業者と契約している端末であることを示す属性情報を送信しないため、アクセスを許可せず、従って、信号の中継は行わない。尚、属性情報にグループを設けて、グループ毎にアクセス制限内容を変えることも可能である。
【００２４】
また、無線アクセス装置１は、帯域メモリ１０２を有しており、帯域メモリ１０２には、所有者以外の許可端末が使用可能な、アクセス回線の帯域情報である閾値が記憶されている。無線アクセス装置１に、１以上の無線端末３からアクセスがあった場合においても、無線アクセス装置１は、これら無線端末３が使用できる帯域合計を、帯域メモリ１０２が保持している閾値以下に制限する。
【００２５】
以上の構成により、ネットワーク５を提供する事業者と契約した利用者の無線端末２及び３が、無線アクセス装置１経由でネットワーク５にアクセスでき、本無線アクセス装置を、企業や個人が設置しているネットワークへのアクセス回線に接続することで、これらアクセス回線を有効利用できる。これにより、従来のスポット的な公衆無線サービスを、面的な広がりを持ったサービスへと展開することを容易に可能とし、ネットワーク事業者にとっても、新たに自身が基地局又は無線アクセス装置を設置する必要がないという利点がある。
【００２６】
また、帯域メモリ１０２が保持している閾値に基づき、無線アクセス装置１の契約者である利用者Ｘは、無線アクセス装置１経由でネットワーク５にアクセスする無線端末３の数に関わらず、一定の帯域の利用を確保することができる。
【００２７】
図３は、本発明の無線アクセスシステムの第２実施形態を示す図である。尚、既に説明したものと同一の構成要素については、同一の符号を付してその説明は省略する。図３によると、ネットワーク５は、契約者データベース５２を有する。また、図３において、無線アクセス装置１１及び無線端末２１はＡが契約者であり、無線アクセス装置１２及び無線端末２２はＢが契約者であり、無線アクセス装置１３及び無線端末２３はＣが契約者である。また、無線アクセス装置１１〜１３は、認証メモリ１０１を有してはいない。
【００２８】
図３の構成での、契約者データベース５２が有する情報を図４に示す。本実施形態では、無線アクセス装置１１〜１３は、無線端末からアクセスがあった際に、例えばアクセスを行ってきた無線端末のアドレスといった、無線端末の識別情報と、自装置の識別情報を契約者データベース５２に送信し、契約者データベース５２からアクセス制限情報を取得する。
【００２９】
例えば、図３の構成で、図４の情報を契約者データベース５２が保持している場合において、契約者データベース５２が、無線アクセス装置１１から、無線端末２１及び無線アクセス装置１１の識別情報を有する信号を受信した場合は、無線アクセス装置１１にアクセス制限情報として、アクセス制限無しを通知し、無線アクセス装置１１から、無線端末２２及び無線アクセス装置１１の識別情報を有する信号を受信した場合は、無線アクセス装置１１にアクセス制限情報として、ゲートウェイ装置５１へのアクセスのみ可である旨を通知する。また、無線アクセス装置から受信した無線端末の識別情報がデータベースに存在しない場合には、契約者データベース５２は、アクセス制限情報としてアクセス不可を通知する。
【００３０】
アクセス制限情報を取得した無線アクセス装置は、取得したアクセス制限を実行する。以上の構成により、ネットワーク５の提供を行っているネットワーク事業者と、無線アクセス装置及びネットワーク５への接続回線の契約を行っている利用者は、自身が契約している無線アクセス装置経由ではアクセス制限無しにネットワーク５に接続可能となり、それ以外の無線アクセス装置経由では、ある一定の制限のもとにネットワーク５に接続可能となる。また、ネットワーク５の提供を行っているネットワーク事業者と契約をしていない無線端末からのアクセスについては、無線アクセス装置がアクセスを拒否する。
【００３１】
図５は、図３の構成での、契約者データベース５２が有する課金に関する情報である。例えば、契約者Ａ及びＣは、自身が契約している無線アクセス装置を、他人に利用させることを許可することでＹ１円の割引を受け、また、他人の無線アクセス装置の利用も行うためＹ２円の割増し料金を支払うこととしている。契約者Ｂは、自身の所有する無線アクセス装置を、他人に利用させることを許可することでＹ１円の割引を受けているが、他人の無線アクセス装置の利用は行わないこととしている。この場合、図４に示す契約者Ｂの無線アクセス装置１２以外へのアクセス制限には、アクセス不可が設定される。
【００３２】
図５においては、割引料金を固定額としているが、例えば、Ｙ１円を他人のために解放する帯域に応じた額としても良い。また、割増し料金も固定額としているが、例えば、Ｙ２円を使用量に応じた額又は固定額＋使用量に応じた額としても良い。
【００３３】
以上の構成により、各契約者は、自身が契約し、設置している無線アクセス装置を他人のために解放することで、料金面での割引を受けることができ、ネットワーク５の提供事業者は、ホットスポットのサービスエリアの拡大を行いやすくなる。
【００３４】
図６は、本発明の無線アクセスシステムの第３実施形態を示す図である。図６によると、本実施形態ではネットワーク５は通信制御装置５３を有する。
【００３５】
無線端末２３が、無線アクセス装置１１経由でネットワーク５にアクセスを行いつつ、無線アクセス装置１１から遠ざかり、無線アクセス装置１２に近づく方向に移動を行っているものとする。無線アクセス装置１１は、無線端末２３からの電波の受信レベルを周期的、或いは、ある範囲以上変動する度に、通信制御装置５３に通知をしている。また、無線アクセス装置１２も、無線端末２３からの電波が受信可能となった後に、その受信レベルを周期的、或いは、受信レベルがある範囲以上変動する度に、通信制御装置５３に通知している。
【００３６】
通信制御装置５３は、無線アクセス装置１１及び１２から通知される、無線端末２３の受信レベルを比較して、無線端末２３からの信号を一番強く受信している無線アクセス装置を選択し、選択した無線アクセス装置の識別情報を、無線端末２３の受信レベルを通知している全無線アクセス装置、図６の場合は、無線アクセス装置１１及び１２に送信する。通信制御装置５３が選択した無線アクセス装置のみが、無線端末２３とネットワーク５との信号の中継を行うことで、無線アクセス装置の切替を行う。また、無線アクセス装置１２に相当する無線アクセス装置が存在しない場合には、無線アクセス装置１１から受信する受信レベルが、正常に受信できなくなるレベルを下回ることとなる前に、無線端末２３に、切替え先の無線アクセス装置が存在しない旨と、それ以上の移動により接続が維持できなくなる旨を通知する。
【００３７】
以上の構成により、無線端末が移動しても、無線端末のネットワーク５へのアクセスは維持でき、また、接続の維持が不可能な場合には事前に無線端末に通知することが可能となる。
【００３８】
図７は、本発明の無線アクセスシステムの第４実施形態を示す図である。図７において、無線端末４０は、ネットワーク６の提供事業者と契約している利用者Ｚの無線端末である。利用者Ｚは、ネットワーク５の提供事業者とも無線アクセス装置の利用の契約を行い、ネットワーク５の契約者データベース５２は、無線端末４０について図８に示すアクセス制限の情報と、課金情報を持っている。
【００３９】
無線端末４０からのアクセスを受けた無線アクセス装置１１は、無線端末４０の識別情報及び自身の識別情報を、契約者データベース５２に送信し、契約者データベース５２は、無線アクセス装置に、ゲートウェイ装置５１へのアクセスのみ可能である旨を通知する。
【００４０】
これにより、無線端末４０は、ゲートウェイ装置５１と接続し、ゲートウェイ装置５１は、無線端末４０との情報の送受信に基づき、無線端末４０とネットワーク６との接続の中継を行う。
【００４１】
また、契約者Ｚは、無線アクセス装置の利用に伴いＹ３円が課金されるが、この金額は、固定額でも従量課金としても良い。
【００４２】
以上の構成により、他のネットワークの提供事業者にも無線アクセスサービスを提供可能となり、安価な無線サービスの提供が可能となる。
【００４３】
図９は、上述した課金の流れを説明する図である。
【図面の簡単な説明】
【００４４】
【図１】本発明の無線アクセスシステムの第１実施形態を示す図である。
【図２】認証メモリが保持する識別情報を示す図である。
【図３】本発明の無線アクセスシステムの第２実施形態を示す図である。
【図４】図３の構成での、契約者データベースを示す図である。
【図５】契約者データベースが有する課金に関する情報である。
【図６】本発明の無線アクセスシステムの第３実施形態を示す図である。
【図７】本発明の無線アクセスシステムの第４実施形態を示す図である。
【図８】図７の構成の契約者データベース情報である。
【図９】課金の流れを説明する図である。
【符号の説明】
【００４５】
１、１１、１２、１３  無線アクセス装置
２、２１、２２、２３、３、４、４０  無線端末
５、６  ネットワーク
７  パーソナルコンピュータ
５１  ゲートウェイ装置
５２  契約者データベース
５３  通信制御装置
１０１  認証メモリ
１０２  帯域メモリ
【図１】
2006270750.tif 000003
【図２】
2006270750.tif 000004
【図３】
2006270750.tif 000005
【図４】
2006270750.tif 000006
【図５】
2006270750.tif 000007
【図６】
2006270750.tif 000008
【図７】
2006270750.tif 000009
【図８】
2006270750.tif 000010
【図９】
2006270750.tif 000011